(57)【要約】      （修正有）【課題】幼児用シートの背もたれが自動車のシートの背もたれの傾斜角度より大きな傾斜角度を得て側面からの保護が出来るようにする。【解決手段】自動車用の肘掛付き幼児用シートは、傾斜可能な背もたれ１を備え、かつ、支持体３にスライド式に取り付けられ、支持体３上を移動する該幼児用シートを異なる箇所にて固定する固定手段を備える。さらにまた、シートは、肘掛１９がそれぞれ、シートの各々の側面とピン結合で連結した個々の部材により構成されており、異なる高さの位置に肘掛を固定するための手段を備えており、該手段は肘掛１９を異なる高さの位置で固定する。自動車のシートに配置される上記支持体３は、その後部５が該シートの背もたれに対して傾斜しており、上記シートが前方へ移動することによって、背もたれ１が該シートの背もたれの傾斜角度と異なる傾斜角度で傾斜する。【選択図】図３
0003105240.tif 000002
【実用新案登録請求の範囲】
【請求項１】
傾斜可能な背もたれを備えた肘掛付き幼児用シート（seat）であって、
支持体（３）にスライド式（slidingly）に取り付けられており、
上記支持体（３）上の幼児用シートの位置を変化させる移動において、幼児用シートを異なる位置で固定する固定手段（４）を備えることを特徴とする自動車用の肘掛付き幼児用シート。
【請求項２】
自動車のシート（Ａ）に配置される上記支持体（３）は、その後部（５）が該シート（Ａ）の背もたれ（Ｒ）に対してもたれかかっており、自動車のシート（Ａ）の背もたれの傾斜角度と、幼児用シートの背もたれ（１）の傾斜角度とを異なる角度にするために、幼児用シートが前方へ移動できることを特徴とする、請求項１に記載の傾斜可能な背もたれを含む、自動車用の肘掛付き幼児用シート。
【請求項３】
上記幼児用シートの下部および、該下部によって形成される空間（６）に、シートを移動したり固定したりできる、シートの前部に突出した操作手すりを有した機構を備えていることを特徴とする、請求項１または２に記載の自動車用の肘掛付き幼児用シート。
【請求項４】
上方に窪んだ（１１）支持体（３）は、上記幼児用シートを正確に移動するガイド（the guides）（９）および、異なる位置にて上記幼児用シートを固定する固定部（１７）を備えていることを特徴とする、請求項１から３の何れか１項に記載の自動車用の肘掛付き幼児用シート。
【請求項５】
２つの肘掛（１９）はそれぞれ、シートの各々の側面とピン結合（pin-jointed）（２３）で連結した個々の部材により構成されており、異なる高さの位置に肘掛を固定するための手段を備えていることを特徴とする、請求項１に記載の自動車用の肘掛付き幼児用シート。
【請求項６】
肘掛（１９）を異なる高さの位置で固定する手段が、上記幼児用シートにピン結合（２３）で連結した肘掛（１９）の最後部に備えられていることを特徴とする、請求項５に記載の自動車用の肘掛付き幼児用シート。
【考案の詳細な説明】
【技術分野】
【０００１】
本考案は、自動車用の肘掛付き幼児用シート（seat）に関するものであり、より詳細には、該肘掛付き幼児用シートの肘掛の高さを変えることができる自動車用の肘掛付き幼児用シートに関するものである。
【背景技術】
【０００２】
自動車用の幼児用シートには、上記自動車のシートに配置できる型の幼児用シートであり、また、これらの型の幼児用シートが、該自動車のシートの背もたれに搭載できる連結式の背もたれ（articulated backrest）を備えており、さらに、これらの型の幼児用シートには、その両側のそれぞれに、肘掛を動かすための欄干を各々備えていることが公知である。
【考案の開示】
【考案が解決しようとする課題】
【０００３】
このような種類の幼児用シートには、以下のような問題点がある。即ち、上記シートは、自動車の背もたれが有する傾斜でのみ傾くことができないために、子供の睡眠時に、上記シートの背もたれを十分に傾けることができないという問題がある。従って、子供を、その睡眠時に必要最低限の適した快適な体位にしてあげることができない。
【０００４】
公知の幼児用シートのなかには、身長によって調節可能なヘッドレストを含んでいるものや、加えて、幼児用シートと連結した、側面が拡大された部分を有した背もたれを備えているものがある。
【０００５】
上記の幼児用シートのうち後者のものは、子供の成長と発育の異なった段階、例えば１歳からおよそ８歳の子供、において使用するのに適している。即ち後者の幼児用シートは、該幼児用シートの縦と横の両方に調節することができるので、子供を常に保護することができる。
【０００６】
しかしながら、これらの幼児用シートは、肘掛が固定された配置であり、かつ、その配置が比較的低い位置であるため、子供が成長するにつれて居心地が悪くなり、また、肘掛が低い位置にあるため、側面からの保護が出来なくなるという欠点を有している。
【課題を解決するための手段】
【０００７】
本考案に係る肘掛付き幼児用シートは、上記の問題を解決するために考案されたものである。具体的には、本考案に係る肘掛付き幼児用シートは、上記幼児用シート自身が前方へ移動できる。これによって、本考案に係る幼児用シートが前方に移動した場合にはその移動によって該幼児用シートと自動車のシートとの距離が離れるため、上記幼児用シートの背もたれが自動車のシートの背もたれの傾斜角度より大きな傾斜角度を得ることができる。
【０００８】
このような目的をもつ本考案に係る上記幼児用シートの特徴としては、上記幼児用シートの背部が自動車のシートの背もたれに対して傾斜するように、自動車のシートに配置される支持体（a base）に、スライド式（slidingly）に取り付けられる幼児用シートであり、かつ、上記幼児用シートの移動方向に沿って、幾つかの箇所で上記幼児用シートを固定する固定手段を備えた幼児用シートである。
【０００９】
上記幼児用シートの下部および、該下部によって形成される空間には、シートを移動したり固定したりできる、シートの前部に突出した操作手すりを有した機構を備えている。上方に窪んだ支持体は、上記幼児用シートを正確に移動するためのガイドを備えている。固定部は、異なる位置で幼児用シートを固定することができる。
【００１０】
肘掛については、シートの両側にそれぞれピン結合（pin-jointed）で連結する独立した部材から構成されており、異なる高さの位置に肘掛を固定するための手段を備えている。
【００１１】
肘掛を異なる高さで固定する手段は、シートとピン結合で連結している箇所である肘掛の最後部に搭載されることが効果的である。
【００１２】
上記の特徴およびその他の特徴については、次の詳細な説明と付随する図面によってより容易に理解されるであろう。しかしながら、以下の説明は、単なる一例であり、本考案の範囲を制限するものでない。
【考案を実施するための最良の形態】
【００１３】
自動車用の幼児用シートは、図面に示すように、該シート（the very seat）（２）自体に対して自由自在に連結できる傾斜可能な背もたれ（１）を備えている。
【００１４】
上記シート（２）は、縦方向に滑ることができるような配置で支持体（３）に取り付けられており、移動方向に沿って異なる箇所で上記シートを固定する固定手段を備えている。
【００１５】
上記支持体（３）は、そのシートの後部（５）が上記自動車のシート（Ａ）の背もたれの（Ｒ）に沿うように上記シート（Ａ）上に取り付けられており、幼児用シートを前方へ移動させることによってシートの背もたれ（１）が図１の破線に示したように傾斜する。
【００１６】
上記シート（２）自体には、その下面に、シート（２）を異なる位置に移動したり固定したりできる機構を内側に備えた空間（６）を有している。上記機構は、個々の回転部材（８）を末端に備えるブランチ（branches）（７）を有するＵ字型の支持体を備えている。上記回転部材（８）は、上記支持体（３）によって形成された上部空間（１１）の底部（１０）の側面ガイド（lateral guides）（９）上を通っている。上記ブランチ（７）の中間点（１２）は、上記シートの空間（６）を形成している下面に固定された２つの縦方向のフランジ（１３）のうちの一方の前部に取り付けられている。さらにＵ型支持体は、上記幼児用シートの前方に突き出ている制御手すり（１４）を形成している。
【００１７】
上記フランジ（１３）は、その下面に、横断ピン（１５）が取り付けられており、該横断ピン（１５）は、その先端にて支持体（３）の両側に備えられたガイド溝（guide slot）（１６）の各々に沿って誘導される。
【００１８】
上記支持体（３）は、さらに、上記シートの異なる位置を固定する固定部を備えている。上記固定部は、水平に並び、上記支持体の側面の内面に固定されるスタブ（stubs）（１７）によって構成されている。またノッチ（notch）（１８）は、上記フランジ（１３）の下端に備えられ、上記スタブと選択的に咬合する。
【００１９】
幼児用シートの位置を移動するためには、シート（２）の前方部は、手すり（１４）を動かすことにより持ち上がる。これにより、ノッチ（１８）は、対応するスタブ（１７）から外れる。回転部材（８）が上記支持体（３）上を回転することができるのであれば、該手すり（１４）は、引かれるものであっても、押されるものであってもよい。回転部材（８）が、上記支持体（３）上を回転し、他のスタブ（１７）と咬合すると、シートは、回転部材（８）が該他のスタブ（１７）と咬合してシートが下がるため、手すり（１４）による作用は終了し、上記シートは新しい位置に固定されることになる。
【００２０】
上記肘掛（１９）は、互いに連結した二つの部材（２０）および（２１）で構成されており、一つ（２０）が外向き、もう一つ（２１）が内向きに配置されている。また上記内向きの部材（２１）は、上記ピン（２３）によってシートの側面のそれぞれにピン結合で接続された上記肘掛（１９）を通る下等穴（the lower opening）を有している。
【００２１】
上記肘掛の外向きの部材（２０）は、その背部に、上記ピン（２３）に対応する箇所に、弱い構造を有して外側に膨らんだ中心部分（２４）を有している。上記中心部分は、その弾力性を生かし操作ボタンとして機能することができる。上記ボタン部分（２４）が押されると、内部が管状である突起（２５）を用いて、内側に向いた面を有する角断面（square cross-section）の管状突起（２７）を有した歯車（２６）を押す。上記管状突起（２７）は、同じく角断面であり、かつ、側面（２２）の一方に備えられた窪み（a recess）（２８）に受け入れられる。つる巻バネ（２９）は、上記歯車（２６）と上記窪み（２８）の底部との間に配置されている。
【００２２】
上記肘掛の外向きの部材（２０）は、歯車（２６）の歯のある輪郭に適合する、歯を内周に有した円形空洞（３０）を内向きに形成している。
【００２３】
図４に示すように、歯車（２６）は、その歯で円形空洞（３０）の歯のある内周（３１）と咬合することにより、上記肘掛（１９）をその位置で固定することができる。
【００２４】
上記肘掛の位置を、上記の位置から、例えばより高い所に変えたい場合は、上記操作ボタン（２４）が押され、それにより歯車（２６）は上記空洞（３０）の歯のある内周（３１）から外れる。これにより肘掛がピン（２３）を中心に回転することができるようになる。操作ボタン部分（２４）を押すのを止めた時、つる巻バネ（２９）は元の位置に戻り、バネは前述の歯のある内周と咬合するように歯車（２６）を押し戻す。その結果、上記肘掛は配置位置を再び固定される。
【００２５】
なお、本考案は、上記特性を備えるものであれば、上述した実施形態と細部において異なる他の形態であっても用いることができる。すなわち、上述した実施形態は単なる一例であり、上記他の形態であっても本考案の請求する範囲に含まれる。
【図面の簡単な説明】
【００２６】
【図１】図１は、本考案に係る幼児用シートが自動車のシートに配置されている状態を示した側面図である。
【図２】図２は、本考案に係る幼児用シートの下部を示す縦断面図であり、支持体を移動することができる幼児用シートの動きを固定するための手段を示した図である。
【図３】図３は、本考案に係る幼児用シートに取り付けられるの肘掛を測面図を示している。
【図４】図４は、上記肘掛の異なる高さで固定するための手段についての詳細を示した横断面図である。
【符号の説明】
【００２７】
１    背もたれ
２    幼児用シート
３    支持体
４    固定手段
５    後部
６    空間
７    ブランチ
８    回転部材
９    ガイド
１０  底部
１１  窪み
１２  中間点
１３  フランジ
１４  手すり
１５  横断ピン
１６  ガイド溝
１７  固定部
１８  ノッチ
１９  肘掛
２０  外向きの部材
２１  内向きの部材
２２  側面
２３  ピン結合
２４  中心部分
２５  突起
２６  歯車
２７  管状突起
２８  窪み
２９  つる巻バネ
３０  円形空洞
３１  歯のある内周
【図１】
0003105240.tif 000003
【図２】
0003105240.tif 000004
【図３】
0003105240.tif 000005
【図４】
0003105240.tif 000006